(57)【要約】【課題】  不特定多数の利用者が使用する情報端末装置において、モニター収納部内に格納した状態で使用できる備え付けのディスプレイの防盗性を高めるとともに、そのメンテナンスを容易となした格納型ディスプレイのメンテナンス装置を提供する。【解決手段】  モニター収納部５の後傾した前面パネル部材４７に開口部４９を形成し、開口部に対応する背面位置にフラットディスプレイＤを取付けるフレーム状の保持部材５０を固着し、透光性を有する保護カバー４６の上端部を開口部の上端部に前後回動可能に取付け、下端部に取付けた施錠具５２を係合部に係脱可能となした。【選択図】        図４
2005084501.tif 000002
【特許請求の範囲】
【請求項１】
モニター収納部の後傾した前面パネル部材に開口部を形成し、該開口部に対応する背面位置にフラットディスプレイを取付けるフレーム状の保持部材を固着し、透光性を有する保護カバーの上端部を前記開口部の上端部に対応する前面パネル部材又は保持部材に、ヒンジ部材にて前後回動可能に取付けるとともに、保護カバーの下端部に施錠具を設け、前記開口部の下端部に対応する前面パネル部材又は保持部材に設けた係合部に係脱可能となしたことを特徴とする格納型ディスプレイのメンテナンス装置。
【請求項２】
前記保持部材は、後方へ突出した箱型形状で、その底面板に少なくとも一対の対向する開口縁を残して開口を形成し、前記両開口縁に跨る長さを有する連結部材を、前記フラットディスプレイの背面に取付け、前記フラットディスプレイを前記前面パネル部材の開口部内に前方から収容した状態で、該ラットディスプレイの周囲から突出した前記連結部材の両側片を前記保持部材の両開口縁に重合し、前方から取付けてなる請求項１記載の格納型ディスプレイのメンテナンス装置。
【請求項３】
前記保持部材の側板にステー部材の一端を前後回動可能に取付け、通常はステー部材を前記フラットディスプレイの側縁部に沿って収納しておき、前記保護カバーを開放した際に、回動引き出した前記ステー部材の端部で前記保護カバーの遊端側を保持してなる請求項１又は２記載の格納型ディスプレイのメンテナンス装置。
【請求項４】
前記モニター収納部は、前記前面パネル部材とその後部を取り囲む背面パネル部材とからなり、該背面パネル部材には、複数の放熱用開口を形成し、フラットディスプレイから発生した熱を、保持部材の開口、放熱用開口を通して外部に排出してなる請求項１〜３何れかに記載の格納型ディスプレイのメンテナンス装置。
【発明の詳細な説明】
【技術分野】
【０００１】
本発明は、格納型ディスプレイのメンテナンス装置に係わり、更に詳しくは情報端末機器の表示装置として筐体の内部に格納したディスプレイをメンテナンスするための装置に関するものである。
【背景技術】
【０００２】
従来から、街角で情報を伝達する端末として公衆電話ボックスがある。この公衆電話ボックスは、主に音声通話を目的としたものであり、市民生活や旧来のビジネスにおける社会インフラとして産業発展に重要な地位を占めてきたが、近年に至り爆発的な携帯電話の普及によってその使命を終えようとしている。
【０００３】
一方、インターネットは、１９９０年代に入って一般にも簡単に利用できるようになり、その情報伝達の双方向性、情報伝達速度の高速性、扱える情報の多様性等の優れた特性によってパソコンの性能向上と相俟って爆発的に普及し始め、更に携帯電話でもインターネットが利用できるようになってからはその普及率に拍車がかかっている。更に、無線ＬＡＮの進歩も目覚しく、駅や一部の飲食店等ではアクセスポイントを設置し、オープンスペースにおいて通信機能を有する携帯情報端末でインターネット接続できるようになってきた。
【０００４】
現在、ｅ−ｊａｐａｎ構想を主軸にインフラの整備、電子商取引、電子政府等、ＩＴに関する大きな動きがある。また、ＩＴを活用した行政の省力化、効率化、学校・大学構内のインフラ化、ＩＴ機器配備、家庭等へのパソコン、インターネットの普及拡大等、ハードウエアによるインフラ構築が急速に進みつつある。利用者がいつでもどこでもインターネットに接続できる若しくはインターネットを利用できるいわゆるユビキタス環境を作っていくことが今後の重要な課題である。
【０００５】
このため、本出願人は、街角等の屋外に設置して、利用者がボックス内に入り、手持ちのパソコンをボックス内に設けたインターネット接続用コードに接続してインターネットを利用できるようにしたインターネット接続用ボックスを提案している（特許文献１）。このボックス内には、パソコン操作用の机や椅子を取付可能となっている。しかし、特許文献１記載のインターネット接続用ボックスは、持ち込みのパソコンを接続することを前提としているため、常時パソコンを持ち歩いてない者には使用できないといった不便がある。また、仮にパソコンを備え付けたとすれば、盗難に遭う恐れがあるといった大きな問題が存在する。特に、比較的持ち運びが容易なフラットディスプレイを備え付ける場合にはこの問題は顕著であり、ディスプレイの目的から見えなければならないということと、その防盗性を高めることを両立させつつ、メンテナンスも容易に行えなければならないといった要請を全て満足しなければならない。従来はこのような格納型ディスプレイのメンテナンス装置は存在しなかった。
【特許文献１】意匠登録第１１８０２２５号公報
【発明の開示】
【発明が解決しようとする課題】
【０００６】
本発明が前述の状況に鑑み、解決しようとするところは、不特定多数の利用者が使用する情報端末装置において、モニター収納部内に格納した状態で使用できる備え付けのディスプレイの防盗性を高めるとともに、そのメンテナンスを容易となした格納型ディスプレイのメンテナンス装置を提供する点にある。
【課題を解決するための手段】
【０００７】
本発明は、前述の課題解決のために、モニター収納部の後傾した前面パネル部材に開口部を形成し、該開口部に対応する背面位置にフラットディスプレイを取付けるフレーム状の保持部材を固着し、透光性を有する保護カバーの上端部を前記開口部の上端部に対応する前面パネル部材又は保持部材に、ヒンジ部材にて前後回動可能に取付けるとともに、保護カバーの下端部に施錠具を設け、前記開口部の下端部に対応する前面パネル部材又は保持部材に設けた係合部に係脱可能となした格納型ディスプレイのメンテナンス装置を構成した（請求項１）。
【０００８】
ここで、前記保持部材は、後方へ突出した箱型形状で、その底面板に少なくとも一対の対向する開口縁を残して開口を形成し、前記両開口縁に跨る長さを有する連結部材を、前記フラットディスプレイの背面に取付け、前記フラットディスプレイを前記前面パネル部材の開口部内に前方から収容した状態で、該ラットディスプレイの周囲から突出した前記連結部材の両側片を前記保持部材の両開口縁に重合し、前方から取付けてなることが好ましい（請求項２）。
【０００９】
また、前記保持部材の側板にステー部材の一端を前後回動可能に取付け、通常はステー部材を前記フラットディスプレイの側縁部に沿って収納しておき、前記保護カバーを開放した際に、回動引き出した前記ステー部材の端部で前記保護カバーの遊端側を保持してなることも好ましい（請求項３）。
【００１０】
そして、前記モニター収納部は、前記前面パネル部材とその後部を取り囲む背面パネル部材とからなり、該背面パネル部材には、複数の放熱用開口を形成し、フラットディスプレイから発生した熱を、保持部材の開口、放熱用開口を通して外部に排出してなることも好ましい（請求項４）。
【発明の効果】
【００１１】
以上にしてなる請求項１に係る発明の格納型ディスプレイのメンテナンス装置は、前面パネル部材に設けた開口部内にフラットディスプレイを格納し、その前面を施錠可能な保護カバーで塞いだので、比較的持ち運びが容易なフラットディスプレイでも防盗性が非常に高くなり、また上端部が回動可能に支持された保護カバーは、その自重によって安定的に開口部を塞いだ状態となり、施錠具による施錠操作が容易になるとともに、保護カバーは後傾しているので、該保護カバーの法線方向が利用者のやや見下ろす目線と略平行になり、つまり保護カバーに直交する目線でフラットディスプレイを見ることになるので、非常に見やすくなる。
【００１２】
請求項２によれば、前面側からのみの作業でフラットディスプレイをモニター収納部内に取付け、又は取外しができ、メンテナンスが容易になる。また、前記モニター収納部内のフラットディスプレイの背後空間に、他の電子機器、例えばパソコン本体部及びインターネット接続装置等を格納した場合に、前記フラットディスプレイを取外して、前記保持部材の開口を通してメンテナンスすることもできるのである。
【００１３】
請求項３によれば、保護カバーを開放した際にその状態をステー部材で維持するので、フラットディスプレイのメンテナンスが容易になる。
【００１４】
請求項４によれば、モニター収納部は、前面パネル部材とその後部を取り囲む背面パネル部材とからなので、フラットディスプレイに対する防盗性が更に高まるとともに、フラットディスプレイから発生した熱は効果的に外部に排出することができる。
【発明を実施するための最良の形態】
【００１５】
次に、本発明の実施形態を添付図面に基づき詳細に説明する。図１〜図５は本発明に係る格納型ディスプレイのメンテナンス装置を適用した一例である情報端末ボックスの実施形態を示し、図６〜図１１はその内部構造を示し、図中符号１はボックス本体、２は天板、３は椅子、４は課金装置、５はモニター収納部、６はキーボード収納部、７は照明具をそれぞれ示している。
【００１６】
前記ボックス本体１は、床面に設置するベース体８と、該ベース体８上に立ち上げた壁パネル体９と、該壁パネル体９の上部に連結したドーム状の天井パネル体１０とから構成され、内部は高さ約２００ｃｍの空間を形成している。前記ボックス本体１は、全体的に丸みを呈する形状をなし、内外からの圧迫感を和らげるように工夫されている。また、前記ボックス本体１には、壁パネル体９から天井パネル体１０にかけて出入りするための開閉扉１１を設けている。この開閉扉１１は、半透明であっても不透明であっても構わない。尚、前記ボックス本体１を壁パネル体９と天井パネル体１０とに分離した理由は、エレベーターで搬送することを配慮し、取扱いを容易にするためである。因みに、前記壁パネル体９の高さは１４０〜１５０ｃｍにとどめている。
【００１７】
そして、前記ボックス本体１の内部には、天板２を備えるとともに、該天板２に対向させて椅子３を設置し、更に前記天板２の上方側部には課金装置４を設けるとともに、上方正面部にはモニター収納部５を設け、そして天板２の下方側部にはキーボード収納部６を設けている。
【００１８】
更に詳しくは、前記ボックス本体１のベース体８は、平面視形状が長方形の四隅を円弧状に切り落とした形状を有し、中央に長尺方向に向けて断面コ字形のチャンネル部材１２を十字に配設し、該チャンネル部材１２の両側に補強部材１３，…を複数固着し、前記チャンネル部材１２の両端と各補強部材１３，…の端部を連結するように巾木部材１４が固定されている。そして、前記ベース体８の四隅部に相当する前記補強部材１３，…には、アジャスター１５，…を設け、更に上面には床パネル１６を施設している。前記チャンネル部材１２，１２は、上方に凹溝１７を向け、中央部で互に連通しており、該凹溝１７を利用して床下の配線を可能とし、更に該凹溝１７の端部に相当する前記巾木部材１４にはコード挿通孔１８を開設している。ここで、前記コード挿通孔１８にはキャップを設けておき必要に応じてキャップを外して配線を行うのである。尚、後述の椅子３を取付けた後に前記チャンネル部材１２を利用して配線できるように、前記床パネル１６は取外し可能となっている。
【００１９】
また、前記壁パネル体９は、前記ベース体８の円弧状のコーナー部に対応する４枚のコーナーパネル１９，…と、短辺側の隣接するコーナーパネル１９，１９間に連結する２枚の壁通気パネル２０，２０と、長辺側の隣接するコーナーパネル１９，１９間で一方の側に連結する壁パネル２１と、長辺側の隣接するコーナーパネル１９，１９間で他方の側に設ける開閉扉１１とから構成されている。前記コーナーパネル１９は、例えばスチール板を円弧状に湾曲させて加工したもので、上下方向の圧縮強度が強く、支柱の働きをするものであり、上下端にフランジ部２２，２２を有し、下端フランジ部２２を前記ベース体８のコーナー部に対応する巾木部材１４の上面にネジ止めして立起状態に保持する。前記壁通気パネル２０は、例えばパンチングメタル材を用いて形成し、両側縁に沿って前記コーナーパネル１９の端部の内側に嵌合し、内部からネジ止め連結できる連結部２３，２３を設けている。前記壁パネル２１は、板状のパネルであり、上下端にフランジ部２４，２４を有し、下端フランジ部２４を前記ベース体８の直線部に対応する巾木部材１４の上面にネジ止めするとともに、両側縁を隣接する両コーナーパネル１９，１９の端面にネジ止めして連結する。尚、前記壁パネル２１の上端フランジ部２４には、後述の天井パネル体１０の形状に対応して半円状の延長パネル２５をネジ止め連結する。そして、前記開閉扉１１は、前記壁パネル２１と延長パネル２５を合せた形状と同じ形状、即ち縦長長方形の上端短辺が上方に円弧状に膨らんだ形状を有し、一方のコーナーパネル１９の側端部に蝶番２６，２６にて開閉可能に取付けている。尚、前記開閉扉１１は、内部から施錠できるようにしても良い。
【００２０】
そして、前記天井パネル体１０は、長辺側の隣接するコーナーパネル１９，１９の上端間を連結する二つのアーチパネル２７，２７と、両アーチパネル２７，２７間に渡して設ける側面視倒Ｕ字形の天井通気パネル２８とから構成されている。前記アーチパネル２７は、例えばスチール板を三次元円弧状にプレス成形したものであり、下端には前記コーナーパネル１９の上端フランジ部２２にネジ止め連結するためのフランジ部２９を設け、側面には半円状の切欠部３０を設けている。前述の延長パネル２５は、アーチパネル２７の切欠部３０内に嵌合し、該延長パネル２５の円弧部に複数突設した突片２５Ａ，…を前記切欠部３０の円弧縁内側に係合させてネジ止めしている。前記天井通気パネル２８は、前記壁通気パネル２０と幅及び構造が同じであるが、全体形状を倒Ｕ字形に成形したものである。
【００２１】
このように、前記ボックス本体１は、各部材を現地へ搬入し、ノックダウン方式で組立てるのであるが、その組立ては極めて簡単である。つまり、先ず所定位置に前記ベース体８をレベル出しして設置する。それから、４枚のコーナーパネル１９，…をベース体８のコーナー部に立設する。次に、短辺側のコーナーパネル１９，１９間にそれぞれ壁通気パネル２０，２０を連結し、長辺側のコーナーパネル１９，１９間に壁パネル２１とその上端に延長パネル２５を連結する。それから、二つのアーチパネル２７，２７をそれぞれ長辺側のコーナーパネル１９，１９の上端間に渡して連結し、最後に両アーチパネル２７，２７間に天井通気パネル２８を連結する。そして、最後に開閉扉１１を長辺側のコーナーパネル１９，１９間の開口部に取付ける。このように組立てたボックス本体１は、一側の壁通気パネル２０、天井通気パネル２０、他側の壁通気パネル２０が連続したものとなり、即ち一側の壁面部の床面近傍から天井部を通って反対側の壁面部の床面近傍まで連続した帯状の通気パネルが形成されるのである。本実施形態のボックス本体１は、周囲を壁パネル体９と天井パネル体１０で囲まれて外部から遮断されているので、落ち着きのある空間が形成され、更にプライバシーの確保もできるにも係らず、前記２枚の壁通気パネル２０，２０と天井通気パネル２８が連続した構成となり、電子機器から発生する熱の放熱、換気を十分に行うことができる。
【００２２】
次に、前記ボックス本体１の内部に設ける設備について説明する。前記天板２は、ボックス本体１内の一方の短辺側に寄せて適宜な高さに保持し、本実施形態では図４に示すように両端を脚板３１，３１で支持し、該脚板３１，３１はベース体８に固定している。そして、図２、図４、図６及び図７に示すように、前記天板２の左手に開閉扉１１がある場合には、該天板２の下方右側端に前面が開放した箱型の前記キーボード収納部６を取付けるとともに、天板２の後部に沿って格納部３２を設け、該格納部３２にはパソコン（図示せず）の本体部や、ルーター又はターミナルアダプタ等のインターネット接続装置（図示せず）を格納している。この格納部３２の前面は、点検パネル３３をネジ止めして塞ぎ、背面には通気孔３４，…を設けている。この点検パネル３３は、ネジの頭部を特殊な形状にしたり、鍵を設けたりして簡単には開かないようになっており、パソコン本体部の防盗性を高めている。また、前記格納部３２の下端と床パネル１６との間には足を入れるための十分な空間が確保されている。また、前述のインターネット接続装置をＩＰ電話の機能を備えたものにするとともに、ＩＰ電話機を設置するか、若しくはパソコンに通話ソフトをインストールしておけばより好ましい。更に、ボックス内に人の存在を感知するセンサーを設け、利用者の有無を監視し、また長時間滞留者に警告を発するなどの機能を備えさせることも実用的である。
【００２３】
前記椅子３は、図１〜図３に示すように、前記天板２に対向してボックス本体１内の他方の短辺側に寄せて設置している。本実施形態の椅子３は、省スペースを図るため、ベース体８に立設した両側一対の脚柱３５，３５の上端部間に円柱状の座クッション体３６を渡設するとともに、両脚柱３５，３５の上端から斜め上後方に背凭れ杆３７，３７を延設し、両背凭れ杆３７，３７の上端部間に円柱状の背クッション体３８を渡設している。ここで、前記脚柱３５は、座クッション体３６の高さを調節するため伸縮可能な構造にすることも好ましい。また、前記脚柱３５に対して背凭れ杆３７は、固定的であっても良いが、角度を調節できるようにして、利用者の体格に応じて背クッション体３８の前後位置を調節できるようにすることも好ましい。また、前記脚柱３５に対して背凭れ杆３７が固定的であっても、背凭れ杆３７に沿った方向に背クッション体３８を移動し保持できるようにすることでも同様に調節することができる。
【００２４】
また、前記課金装置４は、図２〜図４に示すように、前記天板２の上方側部であって、前記壁パネル２１に筐体３９を取付け、該筐体３９に対して保守、点検時に開閉可能に設けた操作板４０には、少なくともコイン投入口４１、紙幣吸込口４２、返却レバー４３、返却口４４及び使用可能時間等を表示する表示部４５を備えている。つまり、インターネット接続時間に応じた従量制の課金方式としている。尚、現金の他、プリペイドカード、電子マネー等も利用できるようにすることも好ましい。
【００２５】
そして、本発明に係る格納型ディスプレイのメンテナンス装置を図２〜図４、図６〜図１０に基づいて説明する。メンテナンス装置を構成する前記モニター収納部５は、前記天板２の上方正面部に設けられ、内部に液晶パネル等のフラットディスプレイＤを収納し、その前面に透光性を有する保護カバー４６を開閉可能に設けたものである。更に詳しくは、前記モニター収納部５は、前記天板２の後部に上設し、後傾した前面パネル部材４７とその後部を取り囲む背面パネル部材４８とからなり、前記前面パネル部材４７の中央部には四角形の開口部４９を形成し、該開口部４９に対応する背面位置にフラットディスプレイＤを取付けるフレーム状の保持部材５０を固着している。そして、前記開口部４９内の保持部材５０にフラットディスプレイＤを取付けた状態で、前記保護カバー４６の上端部を前記開口部４９の上端部に対応する前面パネル部材４７又は保持部材５０に、ヒンジ部材５１，５１にて前後回動可能に取付けるとともに、保護カバー４６の下端部に施錠具５２を設け、前記開口部４９の下端部に対応する前面パネル部材４７又は保持部材５０に設けた係合部５３に係脱可能となしている。このように、比較的持ち運びが容易なフラットディスプレイＤを、モニター収納部５の内部に格納し、その前面を施錠可能な保護カバー４６で塞いだので、防盗性が非常に高くなる。
【００２６】
ここで、前記前面パネル部材４７は、上部が後方へ傾斜した状態、つまり後傾しているので、上端部が回動可能に支持された前記保護カバー４６は、その自重によって安定的に前記開口部４９を塞いだ状態となり、前記施錠具５２による施錠操作が容易になる。また、前記保護カバー４６は、後傾しているので、該保護カバー４６の法線方向が利用者のやや見下ろす目線と略平行になり、つまり保護カバー４６に直交する目線でフラットディスプレイＤを見ることになるので、非常に見やすくなる。尚、前記保護カバー４６に、反射防止機能を持たせれば更に光の反射を抑制してフラットディスプレイＤが見やすくなる。
【００２７】
前記背面パネル部材４８には、複数の大きな放熱用開口５４，…を形成し、フラットディスプレイＤから発生した熱を、保持部材５０の開口、放熱用開口５４，…及び壁通気パネル２０及び天井通気パネル２８を通して外部に排出するようになっている。尚、前記フラットディスプレイＤの代わりに、ＣＲＴをモニター収納部５に格納しても良い。更に、前記モニター収納部５のフラットディスプレイＤの背後空間に、パソコンの本体部やインターネット接続装置を格納することも可能である。
【００２８】
更に詳しくは、前記保持部材５０は、後方へ突出した箱型形状で、その底面板５５に少なくとも一対の対向する開口縁５６，５６を残して開口５７を形成し、前記両開口縁５６，５６に跨る長さを有する連結部材５８を、前記フラットディスプレイＤの背面に後方からネジ止めして取付け、前記フラットディスプレイＤを前記前面パネル部材４７の開口部４９内に前方から収容した状態で、該ラットディスプレイＤの周囲から突出した前記連結部材５８の両側片５９，５９を前記保持部材５０の両開口縁５６，５６に重合し、前方からネジ止めして取付けるのである。尚、ネジ止め以外にも嵌合係止等の手段で取付けることも可能である。このように、前記ラットディスプレイＤは、前方からの作業のみでモニター収納部５に格納して取付けたり、取外してメンテナンスすることができる。
【００２９】
また、前記保護カバー４６は上端部をヒンジ部材５１，５１にて前後回動可能に取付けているので、メンテナンス時に開放状態に維持する必要がある。そのため、前記保持部材５０の側板６０の下端部にステー部材６１の一端を前後回動可能に取付け、通常はステー部材６１を前記フラットディスプレイＤの側縁部に沿って収納しておき、前記保護カバー４６を開放した際に、回動引き出した前記ステー部材６１の端部で前記保護カバー４６の遊端側を保持するようにしている。具体的には、前記ステー部材６１は、金属棒をコ字形に屈曲し、両端部に外側へ軸部６１Ａ，６１Ａを屈曲形成し、両軸部６１Ａ，６１Ａを前記保持部材５０の両側板６０，６０の下端部に形成した孔６０Ａ，６０Ａに遊挿して、前後回動可能に取付けるのである。従って、前記ステー部材６１を前記保持部材５０内に格納した状態では、前記フラットディスプレイＤの両側縁と上縁の外側に沿うことになる。一方、前記保護カバー４６を開放する際には、前記ステー部材６１を回動引き出してその横棒部６１Ｂを前記施錠具５２に係止することによって開放状態を維持している。尚、前記保護カバー４６の開放状態で前記ステー部材６１の横棒部６１Ｂをキャッチする部材を該保護カバー４６に取付けても良い。尚、前記孔６０Ａは、前記保持部材５０の側板６０に沿って上下に複数形成しておき、適宜な孔６０Ａを選択して前記ステー部材６１の軸部６１Ａを取付ける位置を変更可能とすれば、前記保護カバー４６の開放角度を調節することができる。また、前記保護カバー４６は、自重によって前記開口部４９を閉鎖するが、そのときの衝撃を緩和するために、前記保持部材５０の底面板５５の下端部に緩衝部材６２，６２を突設している。
【００３０】
前記保護カバー４６は、フラットディスプレイＤの表示を透視するため、アクリル板等の透光性の材料で形成するが、フラットディスプレイＤの周囲の縁部や前記ステー部材６１、及び緩衝部材６２，６２は通常は見えない方が外観的に良いので、前記フラットディスプレイＤの有効表示部以外の周囲は非透光性の塗料を塗布し若しくはフィルムを貼る等の処理をすることが望ましい。
【００３１】
また、前記前面パネル部材４７の下端部には、電源コンセント６３及びモジュラジャック６４を設けている。また、使用可能時間を表示する表示具を設けることも好ましい。
【００３２】
また、本実施形態では、前方及び上方へのみ照明可能なシェード４７を備えたフラット状の照明具７を天板２の後部上方に設置している。つまり、前記モニター収納部５の上部には、図２〜図４、図９及び図１１に示すように、前記照明具７を設けている。この照明具７は、フラットディスプレイＤ若しくは保護カバー４６を直接照らすものではなく、ボックス内を全体的に間接照明するように設けたものである。つまり、照明具７の下面は塞がれているが、前部及び上部は透光性のシェード６５で覆われており、内部の蛍光灯６６から発生した光は前方又は上方へ進み、特に上方へ出た光は前記天井パネル体１０の内面で反射されてボックス内を間接照明するのである。このように照明することで、フラットディスプレイＤが見やすくなるのである。
【００３３】
最後に、本発明に係る情報端末ボックスの使用方法を簡単に説明する。先ず、ボックス内に備え付けのパソコンを使用してインターネットに接続するには、前記キーボード収納部６からキーボードＫを取り出して前記天板２に載置する。それから、前記課金装置４にコイン又は紙幣を投入すると、備え付けのパソコンが起動し、インターネット接続が自動的になされ、必要な情報を前記フラットディスプレイＤに表示させることができる。また、音楽を聴いたり、映画やインターネットＴＶを見たり、ネットバンキングを利用したり、行政サービスを受けることができる。また、手持ちのノートパソコンを用いてインターネットに接続するには、前記前面パネル部材４７に設けた電源コンセント６３に電源プラグを接続するとともに、ＬＡＮケーブルをモジュラジャック６４に接続し、それからは常法通りにインターネットを利用するのである。尚、前記課金装置４には、備え付けのパソコンを利用するのか、手持ちのパソコンを利用するのかを選択するモードスイッチを設けておくことが実用的である。
【００３４】
また、本発明に係る情報端末ボックスは、複数台を同一方向に配列して設置したり、２台一組で向かい合わせに設置したり、更には内部空間を広くして二人用にしたりとその配置バリエーションは多い。そのとき、各情報端末ボックスに跨って配線する必要があるときには、前記ベース体８の巾木部材１４のキャップを外して前記コード挿通孔１８を利用するのである。また、前記ボックス本体１は左右対称形であるので、前記開閉扉１１と、前記壁パネル２１及び延長パネル２５とを、取付位置を交換することができる。
【図面の簡単な説明】
【００３５】
【図１】本発明に係る情報端末ボックスの全体斜視図である。
【図２】同じく情報端末ボックスの簡略縦断側面図である。
【図３】同じく情報端末ボックスの簡略横断面図である。
【図４】同じく情報端末ボックスの簡略縦断正面図である。
【図５】ボックス本体の省略分解斜視図である。
【図６】内部設備を示す全体簡略斜視図である。
【図７】同じく内部設備を背面側から見た全体簡略斜視図である。
【図８】モニター収納部の分解斜視図である。
【図９】同じくモニター収納部の拡大縦断面図である。
【図１０】同じくモニター収納部の保護カバーを開放した状態の省略斜視図である。
【図１１】照明具を示し、（ａ）は平面図、（ｂ）は断面図である。
【符号の説明】
【００３６】
１  ボックス本体        ２  天板
３  椅子                ４  課金装置
５  モニター収納部      ６  キーボード収納部
７  照明具              ８  ベース体
９  壁パネル体          １０  天井パネル体
１１  開閉扉            １２  チャンネル部材
１３  補強部材          １４  巾木部材
１５  アジャスター      １６  床パネル
１７  凹溝              １８  コード挿通孔
１９  コーナーパネル    ２０  壁通気パネル
２１  壁パネル          ２２  フランジ部
２３  連結部            ２４  フランジ部
２５  延長パネル        ２５Ａ  突片
２６  蝶番              ２７  アーチパネル
２８  天井通気パネル    ２９  フランジ部
３０  切欠部            ３１  脚板
３２  格納部            ３３  点検パネル
３４  通気孔            ３５  脚柱
３６  座クッション体    ３７  背凭れ杆
３８  背クッション体    ３９  筐体
４０  操作板            ４１  コイン投入口
４２  紙幣吸込口        ４３  返却レバー
４４  返却口            ４５  表示部
４６  保護カバー        ４７  前面パネル部材
４８  背面パネル部材    ４９  開口部
５０  保持部材          ５１  ヒンジ部材
５２  施錠具            ５３  係合部
５４  放熱用開口        ５５  底面板
５６  開口縁            ５７  開口
５８  連結部材          ５９  側片
６０  側板              ６１  ステー部材
６２  緩衝部材          ６３  電源コンセント
６４  モジュラジャック  ６５  シェード
６６  蛍光灯            Ｄ  フラットディスプレイ
Ｋ  キーボード
【図１】
2005084501.tif 000003
【図２】
2005084501.tif 000004
【図３】
2005084501.tif 000005
【図４】
2005084501.tif 000006
【図５】
2005084501.tif 000007
【図６】
2005084501.tif 000008
【図７】
2005084501.tif 000009
【図８】
2005084501.tif 000010
【図９】
2005084501.tif 000011
【図１０】
2005084501.tif 000012
【図１１】
2005084501.tif 000013